(57)【要約】【課題】  床面に開口する排水溝の開口縁部に、床面よりも下がった蓋載せ段部を設け、その蓋載せ段部上に係合し且つ上面が床面と略面一の透水性の溝蓋で、排水溝の開口部を開閉可能に閉じるようにした排水溝装置において、排水溝内に排水と一緒に流入した塵埃の除去処理を簡単且つ衛生的に行えるようにする。【解決手段】  排水溝Ｐの内壁には、透水性の溝蓋Ｔよりも下側において、該排水溝Ｐの開口部Ｐｏより排水溝Ｐ内に流れ込む排水中より塵埃を分離し得る塵埃取り用濾過具Ｕが着脱可能に装着される。【選択図】    図１
2006342589.tif 000002
【特許請求の範囲】
【請求項１】
歩行面（Ｆ）に開口する排水溝（Ｐ）の開口縁部に、歩行面（Ｆ）よりも下がった蓋載せ段部（１）を設け、その蓋載せ段部（１）上に係合し且つ上面が歩行面（Ｆ）と略面一の透水性の溝蓋（Ｔ）で、排水溝（Ｐ）の開口部（Ｐｏ）を開閉可能に閉じるようにした排水溝装置において、
排水溝（Ｐ）の内壁には、前記溝蓋（Ｔ）よりも下側において、該排水溝（Ｐ）の開口部（Ｐｏ）より排水溝（Ｐ）内に流れ込む排水中より塵埃を分離し得る塵埃取り用濾過具（Ｕ）を着脱可能に装着したことを特徴とする、排水溝装置。
【請求項２】
前記濾過具（Ｕ）の両側縁部には、排水溝（Ｐ）の前記蓋載せ段部（１）又はその周辺部に設けた係合凹部（１ａ）に上方から係合可能な係合爪（２ｓ）を設け、その係合爪（２ｓ）と係合凹部（１ａ）との係合を前記溝蓋（Ｔ）の下面で保持可能としたことを特徴とする、請求項１に記載の排水溝装置。
【請求項３】
歩行面（Ｆ）下に埋設されるダクト状の排水溝本体（１０）と、その排水溝本体（１０）よりも小幅に形成されて該排水溝本体（１０）の上壁に下端が開口し且つ歩行面（Ｆ）に上端が開口するスリット状の上部溝枠（１１）とを一体化して排水溝（Ｐ′）を構成した排水溝装置において、
上部溝枠（１１）の内壁には、該上部溝枠（１１）の開口部より排水溝本体（１０）内に流れ込む排水中より塵埃を分離し得る塵埃取り用濾過具（Ｕ′）を着脱可能に装着したことを特徴とする、排水溝装置。
【請求項４】
前記濾過具（Ｕ，Ｕ′）は、排水溝（Ｐ，Ｐ′）の長手方向に互いに連続して縦列配置される複数の濾過具要素（Ｕｅ…，Ｕｅ′…）より分割構成されることを特徴とする、請求項１〜３の何れかに記載の排水溝装置。
【請求項５】
前記濾過具（Ｕ，Ｕ′）内には、殺菌作用のある固形物（２０）又はシート体（２１）が載置されることを特徴とする、請求項２〜４の何れかに記載の排水溝装置。
【請求項６】
前記濾過具（Ｕ，Ｕ′）を紙製又は合成樹脂製として使い捨て可能としたことを特徴とする、請求項２〜５の何れかに記載の排水溝装置。
【発明の詳細な説明】
【技術分野】
【０００１】
本発明は、排水溝装置、例えば歩行面に開口する排水溝の開口縁部に、歩行面よりも下がった蓋載せ段部を設け、その蓋載せ段部上に係合し上面が歩行面と略面一のグレーチング、パンチング板等よりなる透水性溝蓋で排水溝の開口部を開閉可能に覆うようにしたタイプのもの、或いは、歩行面下に埋設されるダクト状の排水溝本体と、その排水溝本体よりも小幅に形成されて該排水溝本体の上壁に下端が開口し且つ歩行面に上端が開口するスリット状の上部溝枠とを一体化して排水溝を構成したタイプのものに関する。
【背景技術】
【０００２】
従来の此の種の排水溝装置では、歩行面上を流れる排水が、これに混じる塵埃と共に、グレーチング、パンチング板等の通水路を伝わって排水溝底部に流れ込むか、或いは後者のタイプのように上部溝枠を通して直接、排水溝本体内に流れ込み、そこから更に下流の排水枡に集められ、その排水は、排水枡内に設置した塵埃取り用濾過手段で塵埃が取り除かれてから、外部の下水管等に流されるようになっていた。
【特許文献１】特開２００４−１００２４０号公報
【特許文献２】実用新案登録第３０３７２５１号公報
【発明の開示】
【発明が解決しようとする課題】
【０００３】
上記従来の排水溝構造では、その排水溝の内壁に塵埃が付着してしまうことがあり、そのような場合に、前者のタイプでは、グレーチング、パンチング板等を取り外して排水溝の開口部をオープンにした後、高圧洗浄水等で排水溝内に放水して塵埃を洗い流し、さらにその塵埃を下流の排水枡まで流し運び、その排水枡で、そこに集まった多量の塵埃をまとめて取り除くようにしていた。
【０００４】
また後者のタイプでは、上部溝枠を通して排水溝本体内に高圧洗浄水を放水して、排水溝本体内壁等に付着した塵埃を洗い流して下流の排水枡まで流し、そこに集まった多量の塵埃をまとめて取り除く必要があった。
【０００５】
いずれのタイプにせよ、排水溝から排水枡まで長い経路に亘り塵埃を流し運ぶ作業が必要であり、更にその排水枡に集まった多量の塵埃を取り除く作業も必要であることから、全体として作業に多大の労力と手間を要していた。
【０００６】
本発明は上記に鑑みてなされたもので、従来のものの上記問題が無く、排水溝内に排水と一緒に流入した塵埃の除去処理を簡単且つ衛生的に行うことができる排水溝装置を提供することを目的とする。
【課題を解決するための手段】
【０００７】
上記目的を達成するために、請求項１の発明は、歩行面に開口する排水溝の開口縁部に、歩行面よりも下がった蓋載せ段部を設け、その蓋載せ段部上に係合し且つ上面が歩行面と略面一の透水性の溝蓋で、排水溝の開口部を開閉可能に閉じるようにした排水溝装置において、排水溝の内壁には、前記溝蓋よりも下側において、該排水溝の開口部より排水溝内に流れ込む排水中より塵埃を分離し得る塵埃取り用濾過具を着脱可能に装着したことを特徴としており、また請求項２の発明は、請求項１の上記構成に加えて、前記濾過具の両側縁部には、排水溝の前記蓋載せ段部又はその周辺部に設けた係合凹部に上方から係合可能な係合爪を設け、その係合爪と係合凹部との係合を前記溝蓋の下面で保持可能としたことを特徴としている。
【０００８】
また請求項３の発明は、歩行面下に埋設されるダクト状の排水溝本体と、その排水溝本体よりも小幅に形成されて該排水溝本体の上壁に下端が開口し且つ歩行面に上端が開口するスリット状の上部溝枠とを一体化して排水溝を構成した排水溝装置において、上部溝枠の内壁には、該上部溝枠の開口部より排水溝本体内に流れ込む排水中より塵埃を分離し得る塵埃取り用濾過具を着脱可能に装着したことを特徴とする。
【０００９】
また請求項４の発明は、請求項１〜３の何れかの前記構成に加えて、前記濾過具が、排水溝の長手方向に互いに連続して縦列配置される複数の濾過具要素より分割構成されることを特徴とし、さらに請求項５の発明は、請求項２〜４の何れかの上記構成に加えて、前記濾過具内には、殺菌作用のある固形物又はシート体が載置されることを特徴とし、更にまた請求項６の発明は、請求項２〜５の何れかの上記構成に加えて、前記濾過具を紙製又は合成樹脂製として使い捨て可能としたことを特徴とする。
【発明の効果】
【００１０】
以上のように請求項１の発明によれば、排水溝の内壁には、透水性の溝蓋よりも下側において、該排水溝の開口部より排水溝内に流れ込む排水中より塵埃を分離し得る塵埃取り用濾過具を着脱可能に装着したので、歩行面上を流れる排水が排水溝に流れ込む際に、その排水に混じる塵埃を上記濾過具により排水中より分離することができ、従って、排水溝には、塵埃を分離された排水だけを流すことができるから、排水溝内の排水を極力清浄に保つことができるばかりか、その排水の流れが常にスムーズになる。また清掃時には、溝蓋を開けて濾過具上の塵埃を単に取り除くだけで済むため、従来のように洗い流した塵埃を排水溝に沿って排水枡まで流し運ぶ作業や、排水枡に集まった多量の塵埃を取り除く作業が不要となり、作業を能率よく簡単、的確に行うことができる。
【００１１】
また請求項２の発明によれば、濾過具の両側縁部には、排水溝の蓋載せ段部又はその周辺部に設けた係合凹部に上方から係合可能な係合爪を設け、その係合爪と係合凹部との係合を前記溝蓋の下面で保持可能としたので、溝蓋を開けて濾過具の係合爪を係合凹部に係脱させるだけで、濾過具の脱着作業を容易に行うことができ、しかも濾過具のセット後は、溝蓋が抑え手段を兼ねることから、簡単な構造で濾過具を確実に保持することができる。
【００１２】
また請求項３の発明によれば、ダクト状の排水溝本体と、その排水溝本体よりも小幅に形成されて該排水溝本体の上壁に下端が開口し且つ歩行面に上端が開口するスリット状の上部溝枠とを一体化して排水溝を構成した排水溝装置において、上部溝枠の内壁に塵埃取り用濾過具を着脱可能に装着したので、歩行面上を流れる排水がスリット状の上部溝枠を通して排水溝本体内に流れ込む際に、その排水に混じる塵埃を上記濾過具により排水中より分離することができ、排水溝本体には、塵埃を分離された排水だけを流すことができるから、排水溝本体内の排水を極力清浄に保つことができるばかりか、その排水の流れが常にスムーズになる。また清掃時には、濾過具上の塵埃を単に取り除くだけで済み、そのため、従来のように洗い流した塵埃を排水溝の沿って排水枡まで流し運ぶ作業や、排水枡に集まった多量の塵埃を取り除く作業が不要となり、作業を能率よく簡単、的確に行うことができる。
【００１３】
また特に請求項４の発明によれば、濾過具が、排水溝の長手方向に互いに連続して縦列配置される複数の濾過具要素より分割構成されるので、排水溝が長くても、比較的小型の濾過具要素を縦に並べ連ねるだけで容易に対応可能となる。
【００１４】
また特に請求項５の発明によれば、濾過具内には、殺菌作用のある固形物又はシート体が載置されるので、その濾過具を通る排水や濾過具上の塵埃を殺菌でき、排水溝内の衛生環境を良好に保つことができる。しかも濾過具が上記固形物又はシートの保持手段を兼ねるから、それだけ構造簡素化が図られる。
【００１５】
また特に請求項６の発明によれば、濾過具を紙製又は合成樹脂製として使い捨て可能としたので、排水溝の清掃に際し、濾過具をこれに貯められた塵埃と一緒に廃棄できて、濾過具をその都度、清掃する手間が省け、作業能率が向上する。しかも排水溝内の衛生環境を一層良好なものとすることができる。
【発明を実施するための最良の形態】
【００１６】
本発明の実施の形態を、添付図面に例示した本発明の実施例に基づいて以下に具体的に説明する。
【００１７】
添付図面において、図１〜図３は、本発明の第１実施例を示すものであって、図１は、排水溝装置を示す全体斜視図、図２は、図１の２−２線拡大断面図、図３は、濾過具としての塵埃取付カゴの単体斜視図である。また図４及び図５は、本発明の第２実施例を示すものであって、図４は、排水溝装置を示す全体斜視図（図１対応図）、図５は、図４の５−５線拡大断面図（図２対応図）である。
【００１８】
先ず、図１において、歩行面としての床面Ｆに開口する排水溝Ｐの左右一対の開口縁部には、横断面Ｌ字状の縁枠がそれぞれ一体に設けられており、この縁枠により排水溝Ｐの左右一対の開口縁部には、床面Ｆよりも一段下がった左右一対の蓋載せ段部１がそれぞれ形成される。
【００１９】
その左右一対の蓋載せ段部１上には、上面が床面Ｆと略面一となる透水性の溝蓋としてのグレーチングＴの左右両側縁部がそれぞれ係合、載置され、このグレーチングＴにより排水溝Ｐの開口部Ｐｏが開閉可能に閉じられる。前記グレーチングＴは、方形枠内に複数の横枠とこれらと直交する少なくとも１条の縦枠とを枠組みして構成されるものであり、図示例では、複数のグレーチングＴが排水溝Ｐの長手方向に縦列配置されている。
【００２０】
排水溝Ｐの内壁には、グレーチングＴの直下において、該排水溝Ｐの開口部Ｐｏより排水溝Ｐ内に流れ込む排水中より塵埃を分離し得る塵埃取り用濾過具Ｕが着脱可能に装着される。この濾過具Ｕは、その濾過面、即ち塵埃捕集面を下方に窪ませた浅い籠状に形成されており、その開放上面を排水溝Ｐの開口部Ｐｏに臨ませて、排水溝Ｐの長手方向全域に亘り配置されている。
【００２１】
また濾過具Ｕは、図示例では複数の濾過具要素としての比較的浅い複数の塵埃取りカゴＵｅ…より分割構成されており、それら塵埃取りカゴＵｅ…は、排水溝Ｐの長手方向に互いに連続して縦列配置される。各々の塵埃取りカゴＵｅは、排水溝Ｐの長手方向に延びる横断面円弧状の胴部５と、その胴部５の前後両端を各々塞ぐ鉛直の前後一対の端壁部６，６とで籠状に形成されており、図示例では錆びにくいステンレスの金網で当該形状に成形されている。
【００２２】
そして、各々の塵埃取りカゴＵｅの胴部５の左右両側縁部には、その側縁部を補強すべく該側縁部に沿って延びる横断面Ｌ字状の金属製又は合成樹脂製の縁枠２が一体的に結合されており、この縁枠２の外側半部は、本発明の下向きの係合爪２ｓとして機能する。この係合爪２ｓは、その外端が下方に延びていて、排水溝Ｐの前記蓋載せ段部１又はその周辺部（図示例では蓋載せ段部１の内側縁部）に設けた溝状の係合凹部１ａに上方から抜差可能に係合される。各塵埃取りカゴＵｅの自由状態での横幅Ｌ（図３参照）は、左右の係合凹部１ａの外側の内側面の相互間距離Ｌ′（図２参照）よりも若干長くなっており、従って、各塵埃取りカゴＵｅをセットすべく各係合爪２ｓを係合凹部１ａに係合させるときには、該カゴＵｅを僅かに弾性収縮変形させるようにする。そのセット後は、塵埃取りカゴＵｅの弾性復元力で各係合爪２ｓを係合凹部１ａにガタ無く係合させることができ、その係合状態で係合凹部１ａが係合爪２ｓで覆われるため、該係合凹部１ａに塵埃等が貯まることが効果的に回避できる。
【００２３】
また各塵埃取りカゴＵｅ（従って係合爪２ｓ）は、グレーチングＴの直下にあることから、その係合爪２ｓと係合凹部１ａとの係合状態は、その上側に位置するグレーチングＴの下面で保持可能となる。尚、前記係合凹部１ａには、図示はされないが水抜き用の孔又は切欠が設けられる。
【００２４】
また、図示例では、塵埃取りカゴＵｅとグレーチングＴとが同数ずつ用意され、しかもその両者Ｕｅ，Ｔの、排水溝Ｐの長手方向に沿う長さが略同一に設定される。従って何れか１つのグレーチングＴを開けると、そのグレーチングＴの開放部分に対応する塵埃取りカゴＵｅの全面を露出させることができ、塵埃取りカゴＵｅの点検、清掃等の作業を個々のグレーチングＴ毎に行うことができて、作業が容易、簡便となる。
【００２５】
また図３に鎖線で例示したように、少なくとも一部の塵埃取りカゴＵｅ内には、そこを通過する排水や、該カゴＵｅに捕集された塵埃に対し殺菌作用を発揮し得る物質を含む固形物２０又はシート体２１が収納、載置可能である。この場合、固形物２０は、例えば図示例のように塊のまま使うか、或いは塊を細かくしたものを透水性の袋に包む等して利用する。上記固形物２０又はシート体２１の特設によれば、塵埃取りカゴＵｅを通過する排水や同カゴＵｅに捕集された塵埃に対する殺菌効果が得られ、排水溝内の衛生状態を良好にする上で有効である。尚、使用により上記固定物２０又はシート体２１の殺菌作用が無くなったときは、新品と交換すればよい。
【００２６】
前記第１実施例の作用は次の通りである。排水溝Ｐの使用に当たっては、濾過具Ｕを構成する複数の塵埃取りカゴＵｅ…を排水溝Ｐの前記した所定位置にセット（排水溝Ｐの長手方向に縦列配置）し、その上側から、それら塵埃取りカゴＵｅ…に対応した複数のグレーチングＴ…をセット（排水溝Ｐの長手方向に縦列配置）する。
【００２７】
このような濾過具Ｕ及びグレーチングＴのセット状態では、床面Ｆ上を流れる排水が、グレーチングＴ自体の空隙、又はグレーチングＴと蓋載せ段部１との間の隙間を通して排水溝Ｐ内に流れ込むが、その際に、排水に混じる塵埃が上記濾過具Ｕ（各塵埃取りカゴＵｅ）により排水中より捕集、分離される。これにより、排水溝Ｐには、塵埃を分離された排水だけを流すことができるから、排水溝Ｐを流れる排水を極力清浄に保ち得ると共に、その流れを常にスムーズにすることができる。
【００２８】
また清掃作業時には、先ず、グレーチングＴを開け、これにより上面が開放された塵埃取りカゴＵｅ上に貯まった塵埃を取り除き、必要に応じて該カゴＵｅを洗浄するだけでよい。従って、従来のように洗い流した塵埃を排水溝Ｐの長手方向に沿って排水枡まで流し運ぶ作業や、排水枡に集まった多量の塵埃を取り除く作業が不要となり、作業を能率よく簡単、的確に行うことができる。
【００２９】
また図示例では、塵埃取りカゴＵｅの両側縁部に、蓋載せ段部１又はその周辺部に設けた係合凹部１ａに上方から係合可能な係合爪２ｓが設けられ、その係合爪２ｓと係合凹部１ａとの係合状態をグレーチングＴの下面で保持できるようにしているため、グレーチングＴを開けて塵埃取りカゴＵｅの係合爪２ｓを係合凹部１ａに係脱させるだけで、塵埃取りカゴＵｅの脱着作業を頗る容易に行える。しかも塵埃取りカゴＵｅのセット後は、グレーチングＴがカゴ抑え手段を兼ねることから、簡単な構造で塵埃取りカゴＵｅを定位置に確実に保持することができる。
【００３０】
次に図４，図５を参照して本発明の第２実施例を説明する。
【００３１】
この実施例は、水を扱う食品工場、厨房等の室内の排水溝として好適である。この排水溝Ｐ′は、床に埋設されるダクト状の排水溝本体１０と、その排水溝本体１０よりも小幅に形成されて該排水溝本体１０の上壁に下端が開口し且つ床面に上端が開口するスリット状の上部溝枠１１とを一体化して構成されており、その上部溝枠１１の上端には、床面Ｆと面一をなす装飾用フランジ部１１ｆが一体に連設される。尚、前記排水溝本体１０は、図示例では横断面円形に形成されるが、横断面方形や正多角形のダクト状に形成してもよい。
【００３２】
上部溝枠１１の内壁には、該上部溝枠１１の開口部より排水溝本体１０内に流れ込む排水中より塵埃を分離し得る塵埃取り用濾過具Ｕ′が着脱可能に装着される。この濾過具Ｕ′は、その濾過面、即ち塵埃捕集面を下方に窪ませた浅い籠状に形成されており、その開放上面を上部溝枠１１の上端開口部１１ｏに臨ませて、排水溝Ｐの長手方向全域に亘り配置されている。
【００３３】
また濾過具Ｕ′は、上部溝枠１１の横幅に対応して横幅が小さい点を除いて、基本的に第１実施例の濾過具Ｕと同様の構造である。即ち、濾過具Ｕ′は、図示例では複数の濾過具要素としての横断面円弧状の比較的浅い複数の塵埃取りカゴＵｅ′…より分割構成されており、それら塵埃取りカゴＵｅ…′は、排水溝Ｐの長手方向に互いに連続して縦列配置される。
【００３４】
各々の塵埃取りカゴＵｅ′の両側縁部には、その側縁部を補強すべく該側縁部に沿って延びる横断面Ｌ字状の金属製又は合成樹脂製の縁枠１２が一体的に結合されており、この縁枠１２の外側半部は、本発明の下向きの係合爪１２ｓとして機能する。この係合爪１２ｓは、その外端が下方に延びていて、上部溝枠１１の左右両内側面にそれぞれ一体に突設した係止片の内側に設けた溝状の係合凹部１１ａに上方から抜差可能に係合できるようになっている。また、この第２実施例においても、第１実施例と同様、塵埃取りカゴＵｅ′の弾性復元力で各係合爪１２ｓを係合凹部１１ａにガタ無く係合させることができ、その係合状態で係合凹部１１ａが係合爪１２ｓで覆われていて、該係合凹部１１ａに塵埃等が貯まらないようになっている。尚、前記係合凹部１１ａには、図示はされないが水抜き用の孔又は切欠が設けられる。
【００３５】
また前記上部溝枠１１の開口幅は、人が足を引っ掛ける虞れのない小幅（例えば２０ミリ以下）に設定されており、図示例では、この上部溝枠１１の上端開口１１ｏを閉じる溝蓋は設けられておらず、前記塵埃取りカゴＵｅ′が剥き出しの状態でセットされる。
【００３６】
尚、図５に二点鎖線で示すように、必要に応じてその塵埃取りカゴＵｅ′の上側に透水性の（例えば小幅のグレーチング、パンチング板等よりなる）溝蓋Ｔ′を設けてもよく、その場合には、塵埃取りカゴＵｅ′の上面に溝蓋Ｔ′をそのまま載置させてもよいし、或いは溝蓋専用の支持突起（図示せず）を上部溝枠１１の左右両内側面に突設して、これに溝蓋Ｔ′を係合、載置させるようにしてもよい。而してこの溝蓋Ｔ′を設けた場合には、第１実施例と同様、塵埃取りカゴＵｅ′の係合爪１２と上部溝惑１１の係合凹部１１ａとの係合は、その上側に位置する溝蓋Ｔ′の下面で保持可能となり、即ち、溝蓋Ｔ′が上記係合の保持手段を兼ねる構造となる。
【００３７】
次に前記第２実施例の作用を説明する。排水溝Ｐ′の使用に当たっては、濾過具Ｕ′を構成する複数の塵埃取りカゴＵｅ′…を排水溝Ｐ′の前記した所定位置にセット（排水溝Ｐの長手方向に縦列配置）する。
【００３８】
このような濾過具Ｕ′のセット状態では、床面Ｆ上を流れる排水が排水溝Ｐ′にその上部溝枠１１の開口部を通して流れ込む際に、その排水に混じる塵埃が上記濾過具Ｕ′（各塵埃取りカゴＵｅ′）により排水中より捕集、分離され、これにより、排水溝Ｐ′には、塵埃を分離された排水だけを流すことができるから、排水溝Ｐ′を流れる排水を極力清浄に保つことができるばかりか、その流れが常にスムーズになる。
【００３９】
また清掃作業時には、塵埃取りカゴＵｅ′上に貯まった塵埃を取り除き、必要に応じて該カゴＵｅ′を洗浄するだけでよい。従って、従来のように上部溝枠１１を通して排水溝本体１０内に高圧洗浄水を放水することにより、排水溝本体１０内壁等に付着した塵埃を洗い流してピット溝Ｐ′に沿って下流の排水枡まで流し運ぶ作業や、排水枡に集まった多量の塵埃を取り除く作業が不要となり、作業を能率よく簡単、的確に行える。
【００４０】
また図示例では、塵埃取りカゴＵｅ′の両側縁部に、上部溝枠１１内面の係合凹部１１ａに上方から係合可能な係合爪１２が設けられるため、塵埃取りカゴＵｅ′の係合爪１２を係合凹部１１ａに係脱させるだけで、塵埃取りカゴＵｅ′の脱着作業を頗る容易に行える。
【００４１】
以上、本発明の実施例を詳述したが、本発明はその要旨を逸脱しない範囲で種々の設計変更を行うことが可能である。
【００４２】
例えば、第１実施例では、濾過具Ｕを構成する複数の濾過具要素（塵埃取りカゴＵｅ…）が、複数の溝蓋（グレーチングＴ…）にそれぞれ対応してそれと同数設けられたものを示したが、本発明では、塵埃取りカゴの数は、溝蓋の数とを必ずしも一致させる必要はなく、即ち溝蓋の数より多くても少なくてもよい。
【００４３】
また第１実施例では、透水性の溝蓋として、グレーチングＴを用いたものを示したが、本発明ではグレーチング以外の種々の透水性の溝蓋、例えば平板に多数の小孔を穿設したパンチング板を溝蓋を使用してもよい。
【００４４】
また前記実施例では、濾過具要素（塵埃取りカゴＵｅ）を横断面円弧状の籠状としたものを示したが、本発明では、種々の横断面形状（例えば、チャンネル状、Ｕ字状、Ｖ字状等）の籠状としてもよく、また排水溝Ｐの開口部Ｐｏに臨ませることが可能なネットに形成してもよく、その場合には、ネットの左右両側縁部に、係合凹部１ａに係合可能な係合爪付きの縁枠（芯材）を連結することが望ましい。
【００４５】
また前記実施例では、濾過具要素（塵埃取りカゴＵｅ）をステンレス製としたが、本発明ではステンレス以外の金属製としたり、或いは合成樹脂や、耐水処理を施した紙製としてもよい。特に合成樹脂や紙製とした場合は、製造コストが安く、使い捨て式とすることができることから、排水溝Ｐの清掃に際し、塵埃取りカゴＵｅをこれに貯められた塵埃と一緒に廃棄できて、該カゴＵｅをその都度、清掃する手間が省け、作業能率を高めることができ、しかも排水溝Ｐ内の衛生環境を一層良好なものとすることができる。
【００４６】
また前記実施例では、排水溝Ｐ，Ｐ′の清掃に用いる洗浄水として水道水を用いたが、本発明では、既存の食器洗浄機（例えば特開２００４−４１４４９号公報）等の洗浄設備から出る排水をポンプで加圧して使用するようにしてもよい。この場合には、排水の有効利用が図られ、水資源の有効活用やコスト節減に寄与することができる。
【００４７】
また前記実施例では、塵埃取りカゴＵｅ，Ｕｅ′の係合爪２ｓ，１２ｓを該カゴの胴部（金網部分）とは別部材（縁枠２，１２）に一体に形成したものを示したが、本発明では、係合爪を、カゴの胴部の金網部分で直接形成してもよい。
【図面の簡単な説明】
【００４８】
【図１】本発明の第１実施例に係る排水溝装置を示す全体斜視図
【図２】図１の２−２線拡大断面図
【図３】濾過具としての塵埃取付カゴの単体斜視図
【図４】本発明の第２実施例に係る排水溝装置を示す全体斜視図（図１対応図）
【図５】図４の５−５線拡大断面図（図２対応図）
【符号の説明】
【００４９】
Ｆ・・・床面（歩行面）
Ｕ，Ｕ′・・塵埃取り用濾過具
Ｕｅ，Ｕｅ′・・塵埃取りカゴ（濾過具要素）
Ｐ，Ｐ′・・・排水溝
Ｐｏ・・開口部
Ｔ・・・グレーチング（溝蓋）
１・・・蓋載せ段部
１ａ・・係合凹部
２ｓ・・・係合爪
１０・・排水溝本体
１１・・上部溝枠
２０・・固形物
２１・・シート体
【図１】
2006342589.tif 000003
【図２】
2006342589.tif 000004
【図３】
2006342589.tif 000005
【図４】
2006342589.tif 000006
【図５】
2006342589.tif 000007